(57)【要約】【課題】ＰｏＣ通信を切断してからＴＶ電話通話を開始するまでの間に第三者から着信があると、その着信に対する接続処理が行われてしまう問題を解決する。【解決手段】ＰｏＣ通信中のあるユーザの通信端末装置１から他のユーザの通信端末装置２への網切替要求時に認証ＩＤを通知し、通信端末装置２に保持しておく。通信端末装置２においては、認証ＩＤが一致する通信端末装置同士に限り、ＴＶ電話又は音声電話の接続を許容することで、第三者からの接続を拒否するようにする。【選択図】      図１
2008124982.tif 000002
【特許請求の範囲】
【請求項１】
ＰｏＣ通信及び前記ＰｏＣ通信を行うためのパケット通信網とは異なる回線交換網による通信を行うことのできる通信端末装置であって、前記ＰｏＣ通信についての切断要求を送信する際に他の通信端末装置に認証ＩＤを通知する認証ＩＤ通知手段と、前記認証ＩＤ通知手段によって通知した認証ＩＤを含む接続要求を、前記ＰｏＣ通信の切断後に前記他の通信端末装置に送信する接続要求送信手段とを含むことを特徴とする通信端末装置。
【請求項２】
ＰｏＣ通信及び前記ＰｏＣ通信を行うためのパケット通信網とは異なる回線交換網による通信を行うことのできる通信端末装置であって、前記ＰｏＣ通信を行っている最中に、他の通信端末装置から通知される認証ＩＤを受信する認証ＩＤ受信手段と、前記ＰｏＣ通信の切断後に受信された着信信号に前記認証ＩＤが含まれている場合に限り、該着信信号を送信した通信端末装置との間で前記回線交換網による通信を許可する通信制御手段とを含むことを特徴とする通信端末装置。
【請求項３】
前記認証ＩＤは、タイムスタンプ情報を含むことを特徴とする請求項１又は２に記載の通信端末装置。
【請求項４】
ＰｏＣ通信を行っている状態から、前記ＰｏＣ通信を行うためのパケット通信網とは異なる回線交換網による通信を行う状態へ切り替える網切替方法であって、前記ＰｏＣ通信によるグループ内の第１及び第２の通信端末装置において認証ＩＤを授受するステップと、前記ＰｏＣ通信を行うための網とは異なる網による通信を、前記認証ＩＤの授受完了後に、前記第１及び第２の通信端末装置により前記認証ＩＤを用いた着信処理を行うステップとを含み、前記着信処理後に前記ＰｏＣ通信を行うための網とは異なる網による通信を開始するようにしたことを特徴とする網切替方法。
【発明の詳細な説明】
【技術分野】
【０００１】
本発明は通信端末装置、網切替方法に関し、特にパケット通信網から回線交換網への切替えを実現するための通信端末装置、網切替方法に関する。
【背景技術】
【０００２】
ＰｏＣ（Push-to-Talk over Cellular）通信は、携帯電話機等の通信端末装置をトランシーバのように使用することを可能にし、ボタンに触るだけで複数人によるグループ内でのコミュニケーションを実現するものである。
ＰｏＣ通信は１対１またはグループ間での迅速なコミュニケーション手段である。ＰｏＣ通信において、会話を開始するための操作は、ダイヤルボタンを押すのではなく、特定のボタンを押すという簡単な操作である。
【０００３】
ここで、ＰｏＣ通信中に、一旦通信を切断して二者によるＴＶ電話通話を行う場合を考える。つまり、パケット通信網であるＰｏＣ通信から回線交換網であるＴＶ電話通話への網切替えの場合について考える。同時に双方向に会話することのできないＰｏＣ通信よりもＴＶ電話通話を利用した方が都合良い場合に、このような網切替えが行われることがある。
【０００４】
この網切替えを行うには、ＰｏＣ通信を切断し、その後に二者によるＴＶ電話通話を開始することによって、網切替えを実現する。
なお、非特許文献１には、音声通話からＴＶ電話通話への網切替えに関する手順が開示されている。
【非特許文献１】「ＮＴＴＤｏＣｏＭｏテクニカル・ジャーナル  Ｖｏｌ．１３  Ｎｏ．３」ｐ．２４  社団法人電気通信協会、平成１７年１０月１日
【発明の開示】
【発明が解決しようとする課題】
【０００５】
非特許文献１に記載されている、音声通話からＴＶ電話通話への網切替えを行う場合、回線交換網同士の切替えであるため、呼切断は行わずに網切替えを行うことができる。これに対し、上述した、パケット通信網から回線交換網への網切替えにおいては、ＰｏＣ通信を切断する必要がある。このため、ＰｏＣ通信を切断した直後に、第三者から着信があると、ＴＶ電話通話を開始することができない。つまり、ＰｏＣ通信を切断してからＴＶ電話通話を開始するまでの間に第三者から着信があると、その着信に対する接続処理が行われてしまう。
【０００６】
この点について、図６を参照して説明する。同図には、ＰｏＣ通信及びＰｏＣ通信を行うためのパケット通信網とは異なる回線交換網による通信を行うことのできる発側通信端末装置１及び着側通信端末装置２と、発側パケット交換機３と、着側パケット交換機４と、発側モバイルマルチメディア交換機５と、着側モバイルマルチメディア交換機６とを含んで構成されている。本例では、発側通信端末装置１をユーザＡが使用し、着側通信端末装置２をユーザＢが使用する。
【０００７】
このような構成において、ユーザＡ及びＢが図示せぬ他のユーザと共に、ＰｏＣ通信を行っている最中に、ユーザＡがユーザＢとＴＶ電話通話を開始したいと思った場合、以下の処理が行われる。すなわち、最初に、発側通信端末装置１から着側通信端末装置２に、ＰｏＣ切断要求が送信される（ステップＳ１）。このＰｏＣ切断要求を受信した着側通信端末装置２は、発側通信端末装置１に、ＰｏＣ切断応答を返信する（ステップＳ２）。その後、発側パケット交換機３及び着側パケット交換機４により、ＰｏＣ通信が切断される（ステップＳ３）。すなわち、パケット通信が切断される。
【０００８】
ＰｏＣ通信の切断後、発側通信端末装置１から着側通信端末装置２に、ＡＶ（audio visual）呼による発信要求が送信される（ステップＳ４）。この発信要求を受信した着側通信端末装置２において接続処理が行われると発側通信端末装置１との間で、ＴＶ電話通話が開始されることになる。しかしながら、ＰｏＣ通信切断後に第三者の通信端末装置からＡＶ呼による着信があった場合（ステップＳ５）、着側通信端末装置２は、接続要求が到着すると（ステップＳ６）、接続応答を返信してしまう（ステップＳ７）。この場合、発側通信端末装置１との間のＴＶ電話通話は実現できない。つまり、ＰｏＣ通信からＴＶ電話通話への網切替えを適切に行うことができない。
【０００９】
次に、以上の処理における、各装置間の信号授受について、図７を参照して説明する。同図は、発側通信端末装置１、着側通信端末装置２、発側パケット交換機３、着側パケット交換機４、発側モバイルマルチメディア交換機５、着側モバイルマルチメディア交換機６、サービス制御装置（Service Control Point；ＳＣＰ）７、の間における信号授受を示すシーケンス図である。
【００１０】
同図を参照すると、ユーザＡ及びＢが図示せぬ他のユーザと共に、ＰｏＣ通信を行っている最中に（ステップＳ１００）、発側通信端末装置１においてＰｏＣ切断操作を行うと（ステップＳ１０１）、ＰｏＣ切断要求が発側パケット交換機３に送信される（ステップＳ１１０）。このＰｏＣ切断要求を受取った発側パケット交換機３は、ＰｏＣ切断応答を発側通信端末装置１に返信する（ステップＳ１１１）。
【００１１】
次に、発側パケット交換機３において、ＰｏＣセッションの解放判定が行われる（ステップＳ１１２）、ＰｏＣセッションを解放する場合、発側パケット交換機３は、ＰｏＣ切断要求を着側通信端末装置２に向けて送信する（ステップＳ１１３、Ｓ１１４）。このＰｏＣ切断要求を受取った着側通信端末装置２は、ＰｏＣ切断応答を発側パケット交換機３に向けて返信する（ステップＳ１１５、Ｓ１１６）。
【００１２】
また、発側通信端末装置１から発側パケット交換機３に、パケット通信切断要求が送信される（ステップＳ１１７）。このパケット通信切断要求を受取った発側パケット交換機３は、パケット通信切断応答を発側通信端末装置１に向けて返信する（ステップＳ１１８）。それと同時に、着側通信端末装置２から着側パケット交換機４に、パケット通信切断要求が送信される（ステップＳ１１９）。このパケット通信切断要求を受取った着側パケット交換機４は、パケット通信切断応答を着側通信端末装置２に向けて返信する（ステップＳ１２０）。
【００１３】
その後、発側通信端末装置１においてＡＶ呼による発信操作が行われると（ステップＳ１２１）、発信要求が送信される（ステップＳ１２２）。この発信要求を受信した発側モバイルマルチメディア交換機５においては、着信翻訳が行われる（ステップＳ１２３）。着信翻訳は、接続先の網が決定された後、在圏状態、在圏交換機アドレス、サービス契約状況など、を取得する処理である。具体的には、サービス制御装置７から着側モバイルマルチメディア交換機６に、在圏確認要求が送信され（ステップＳ１２４）、これに対する応答が着側モバイルマルチメディア交換機６から発側モバイルマルチメディア交換機５に向けて返信される（ステップＳ１２５、Ｓ１２６）。続いて、発側モバイルマルチメディア交換機５から着側モバイルマルチメディア交換機６に向けて、ＡＶ呼による接続要求が送信される（ステップＳ１２７）。
【００１４】
ここで、パケット通信の切断後に、第三者（つまりユーザＡ、ユーザＢ以外のユーザ）の通信端末装置から着側通信端末装置２への着信があると（ステップＳ２０１、ステップＳ２０２）、着側通信端末装置２はその通信端末装置と通信中の状態に移行する（ステップＳ２０３）。このように、着側通信端末装置２が他の通信端末装置と通信中である場合には着信不可であり（ステップＳ１２８）、ＡＶ呼による接続要求（ステップＳ１２７）に対して接続不可信号が返信される（ステップＳ１２９、Ｓ１３０）。
【００１５】
以上のように、ＰｏＣ通信を切断した直後に、第三者から着信があると、ＴＶ電話通話を開始することができない。つまり、ＰｏＣ通信を切断してからＴＶ電話通話を開始するまでの間に第三者から着信があると、その着信に対する接続処理が行われてしまい、網切替えを適切に行うことができないという問題点がある。
本発明は上述した従来技術の問題点を解決するためになされたものであり、その目的は網切替えを適切に行うことのできる通信端末装置、網切替方法を提供することである。
【課題を解決するための手段】
【００１６】
本発明の請求項１による通信端末装置は、ＰｏＣ通信及び前記ＰｏＣ通信を行うためのパケット通信網とは異なる回線交換網による通信を行うことのできる通信端末装置であって、前記ＰｏＣ通信についての切断要求を送信する際に他の通信端末装置に認証ＩＤを通知する認証ＩＤ通知手段と、前記認証ＩＤ通知手段によって通知した認証ＩＤを含む接続要求を、前記ＰｏＣ通信の切断後に前記他の通信端末装置に送信する接続要求送信手段とを含むことを特徴とする。このように構成すれば、他の通信端末装置において、認証ＩＤを用いて着信制御を行い、網切替えを適切に行うことができる。
【００１７】
本発明の請求項２による通信端末装置は、ＰｏＣ通信及び前記ＰｏＣ通信を行うためのパケット通信網とは異なる回線交換網による通信を行うことのできる通信端末装置であって、前記ＰｏＣ通信を行っている最中に、他の通信端末装置から通知される認証ＩＤを受信する認証ＩＤ受信手段と、前記ＰｏＣ通信の切断後に受信された着信信号に前記認証ＩＤが含まれている場合に限り、該着信信号を送信した通信端末装置との間で前記回線交換網による通信を許可する通信制御手段とを含むことを特徴とする。このように構成すれば、着信側の通信端末装置において、認証ＩＤを用いて着信制御を行い、網切替えを適切に行うことができる。
本発明の請求項３による通信端末装置は、請求項１又は２において、前記認証ＩＤは、タイムスタンプ情報を含むことを特徴とする。タイムスタンプ情報を用いれば、認証ＩＤを簡単に生成することができ、これを用いて網切替えを適切に行うことができる。
【００１８】
本発明の請求項４による網切替方法は、ＰｏＣ通信を行っている状態から、前記ＰｏＣ通信を行うためのパケット通信網とは異なる回線交換網による通信を行う状態へ切り替える網切替方法であって、前記ＰｏＣ通信によるグループ内の第１及び第２の通信端末装置において認証ＩＤを授受するステップ（例えば、図２中のステップＳ１０２〜Ｓ１０５に対応）と、前記ＰｏＣ通信を行うための網とは異なる網による通信を、前記認証ＩＤの授受完了後に、前記第１及び第２の通信端末装置により前記認証ＩＤを用いた着信処理を行うステップ（例えば、図２中のステップＳ１２１〜Ｓ１３４に対応）とを含み、前記着信処理後に前記ＰｏＣ通信を行うための網とは異なる網による通信（例えば、図２中のステップＳ１３５に対応）を開始するようにしたことを特徴とする。このように構成すれば、認証ＩＤを用いて着信制御を行い、網切替えを適切に行うことができる。
【発明の効果】
【００１９】
以上説明したように本発明は、ＰｏＣ通信中のあるユーザから他のユーザへの網切替要求時に認証ＩＤを通知しておき、認証ＩＤが一致する通信端末装置同士に限り、ＴＶ電話又は音声電話の接続を許容することで、第三者からの接続を拒否できるという効果がある。
【発明を実施するための最良の形態】
【００２０】
以下、本発明の実施の形態を、図面を参照して説明する。なお、以下の説明において参照する各図では、他の図と同等部分は同一符号によって示されている。
（通信システムの構成）
図１は、本発明による通信端末装置を用いて実現した通信システムの構成例を示すブロック図である。同図には、網切替えを行うための接続要求を送信する発側通信端末装置１と、発側通信端末装置１からの接続要求を受信する着側通信端末装置２と、発側パケット交換機３と、着側パケット交換機４と、発側モバイルマルチメディア交換機５と、着側モバイルマルチメディア交換機６とを含んで構成されている。本例では、発側通信端末装置１をユーザＡが使用し、着側通信端末装置２をユーザＢが使用する。
【００２１】
このような構成において、ユーザＡ及びＢが図示せぬ他のユーザと共に、ＰｏＣ通信を行っている最中に、ユーザＡがユーザＢとＴＶ電話通話を開始したいと思った場合、以下の処理が行われる。すなわち、発側パケット交換機３及び着側パケット交換機４を介して行われているＰｏＣ通信（つまり、現在の通信中の網）において、発側通信端末装置１から着側通信端末装置２に、網切替要求が送信される（ステップＳ１１）。この網切替要求には、認証ＩＤが含まれている。認証ＩＤは、ユーザＡが使用している発側通信端末装置１を識別するための情報である。例えば、網切替要求の送信時刻、すなわちタイムスタンプ情報をそのまま認証ＩＤとすれば良い。また、通信端末装置の機体番号にタイムスタンプ情報を付加したものを認証ＩＤとすることもできる。
【００２２】
この網切替要求を受信した着側通信端末装置２は、認証ＩＤを抽出し、自装置内のメモリ等に保持する（ステップＳ１２）。その後、着側通信端末装置２から発側通信端末装置１に、網切替応答及びＰｏＣ切断要求が送信される（ステップＳ１３）。この網切替応答には、認証ＩＤが含まれている。さらに、これらを受信した発側通信端末装置１から着側通信端末装置２に、ＰｏＣ切断応答が送信される（ステップＳ１４）。その後、発側パケット交換機３及び着側パケット交換機４により、ＰｏＣ通信が切断される（ステップＳ１５）。すなわち、パケット通信が切断される。
【００２３】
ＰｏＣ通信の切断後、発側通信端末装置１から着側通信端末装置２に、ＡＶ（audio visual）呼による発信要求が送信される（ステップＳ１１）。この発信要求には、ステップＳ１１において送信した認証ＩＤと同一の認証ＩＤが含まれている。この発信要求を受信した着側通信端末装置２は、その発信要求に含まれている認証ＩＤと自装置に保持されている認証ＩＤとを比較する。そして、認証ＩＤが一致する場合には、着信を許容する。
【００２４】
一方、ＰｏＣ通信切断後に第三者の通信端末装置からＡＶ呼による着信があった場合（ステップＳ２０）、接続要求が着側通信端末装置２に到着しても（ステップＳ２１）、認証ＩＤが一致しないか、又はそれが含まれていない。このため、着信処理は行われず、呼は切断されることになる（ステップＳ２２）。このように、認証ＩＤが一致する通信端末装置同士に限り、接続を許容することで、第三者からの接続を拒否でき、網切替えを適切に行うことができる。
【００２５】
（信号授受シーケンス例１）
次に、以上の処理における、各装置間の信号授受について、図２を参照して説明する。同図は、着側通信端末装置２、発側パケット交換機３、着側パケット交換機４、発側モバイルマルチメディア交換機５、着側モバイルマルチメディア交換機６、サービス制御装置７、の間における信号授受を示すシーケンス図である。
【００２６】
以降の説明において、網切替要求は、網切替えの開始を、発側及び着側の通信端末装置の双方で認識するための信号である。また、ＰｏＣ切断要求は、網切替要求を契機として、ＰｏＣ通信を切断するための信号である。さらに、パケット通信切断要求は、パケット網（無線網を含む）を解放するための信号である。ＰｏＣ通信は、ＳＩＰ（Session Initiation Protocol）により、パケット通信の上でやり取りされており、これらを全て解放した後に、ＴＶ電話通話回線の接続を行うことになる。
【００２７】
同図を参照すると、ユーザＡ及びＢが図示せぬ他のユーザと共に、ＰｏＣ通信を行っている最中に（ステップＳ１００）、発側通信端末装置１において網切替開始操作を行うと（ステップＳ１０１’）、網切替要求が発側パケット交換機３に送信される（ステップＳ１０２）。この網切替要求には、認証ＩＤが含まれている。この網切替要求を受取った発側パケット交換機３は、着側通信端末装置２に向けて、網切替要求を送信する（ステップＳ１０３、Ｓ１０４）。この網切替要求を受信した着側通信端末装置２では、その網切替要求に含まれている認証ＩＤを抽出し、自装置内のメモリに保持する（ステップＳ１０５）。
【００２８】
その後、着側通信端末装置２は、着側パケット交換機４に向けて、網切替応答を送信する（ステップＳ１０６）。この網切替応答を受信した着側パケット交換機４は、発側通信端末装置１に向けて、網切替応答を送信する（ステップＳ１０７、Ｓ１０８）。この網切替応答を受信した発側通信端末装置１からＰｏＣ切断要求が発側パケット交換機３に送信されると（ステップＳ１１０）、それを受取った発側パケット交換機３は、ＰｏＣ切断応答を発側通信端末装置１に返信する（ステップＳ１１１）。
【００２９】
次に、発側パケット交換機３において、ＰｏＣセッションの解放判定が行われ（ステップＳ１１２）、ＰｏＣセッションを解放する場合、発側パケット交換機３は、ＰｏＣ切断要求を着側通信端末装置２に向けて送信する（ステップＳ１１３、Ｓ１１４）。このＰｏＣ切断要求を受取った着側通信端末装置２は、ＰｏＣ切断応答を発側パケット交換機３に向けて返信する（ステップＳ１１５、Ｓ１１６）。
【００３０】
また、発側通信端末装置１から発側パケット交換機３に、パケット通信切断要求が送信されると（ステップＳ１１７）、それを受取った発側パケット交換機３は、パケット通信切断応答を発側通信端末装置１に向けて返信する（ステップＳ１１８）。それと同時に、着側パケット交換機４から着側通信端末装置２に、パケット通信切断要求が送信され（ステップＳ１１９）、このパケット通信切断要求を受取った着側通信端末装置２は、パケット通信切断応答を着側パケット交換機４に向けて返信する（ステップＳ１２０）。
【００３１】
その後、発側通信端末装置１においてＡＶ呼による発信操作が行われると（ステップＳ１２１）、発信要求が送信される（ステップＳ１２２）。この発信要求を受信した発側モバイルマルチメディア交換機５においては、着信翻訳が行われる（ステップＳ１２３）。この場合、サービス制御装置７から着側モバイルマルチメディア交換機６に、在圏確認要求が送信され（ステップＳ１２４）、これに対する応答が着側モバイルマルチメディア交換機６から発側モバイルマルチメディア交換機５に向けて返信される（ステップＳ１２５、Ｓ１２６）。続いて、発側モバイルマルチメディア交換機５から着側モバイルマルチメディア交換機６に向けて、ＡＶ呼による接続要求が送信される（ステップＳ１２７’）。この接続要求には、ステップＳ１０２〜Ｓ１０４において送信した認証ＩＤと同一の認証ＩＤが含まれている。
【００３２】
ここで、パケット通信の切断後に、第三者（つまりユーザＡ、ユーザＢ以外のユーザ）の通信端末装置から着側通信端末装置２への着信があっても（ステップＳ２０１、ステップＳ２０２）、認証ＩＤが一致しないか、又はそれが含まれていない。このため、着信処理は行われず、第三者の着信が拒否される（ステップＳ２０３’）。
これに対し、認証ＩＤが含まれている接続要求（ステップＳ１２７’）は、着側通信端末装置２において受信される（ステップＳ１３１）。この接続要求に含まれている認証ＩＤは着側通信端末装置２に保持されている認証ＩＤと一致する。このため、接続応答が着側通信端末装置２から発側通信端末装置１に向けて送信される（ステップＳ１３２、ステップＳ１３３、ステップＳ１３４）。その後、ＴＶ電話通話が開始される（ステップＳ１３５）。
【００３３】
以上のように、ＰｏＣ通信を切断した直後に、第三者から着信があっても、認証ＩＤを用いた認証により、第三者からの着信を拒否する。つまり、ＰｏＣ通信を切断してからＴＶ電話通話を開始するまでの間に着信があっても、その着信に対する接続処理が行われず、網切替えを適切に行うことができる。
【００３４】
（信号授受シーケンス例２）
上述した信号授受シーケンスにおいて、網切替要求とＰｏＣ切断要求とを重畳させることで単純化した別のシーケンスについて、図３を参照して説明する。
同図を参照すると、図２の場合と異なるのは、着側通信端末装置２が認証ＩＤを抽出し、自装置内のメモリに保持した後（ステップＳ１０５）、着側パケット交換機４に向けて、網切替応答とＰｏＣ切断要求とを同時に送信する点である（ステップＳ１０６’）。網切替応答とＰｏＣ切断要求とを受信した着側パケット交換機４は、それらを発側パケット交換機３に送信する（ステップＳ１０７’）。
【００３５】
網切替応答とＰｏＣ切断要求とを受信した発側パケット交換機３は、ＰｏＣ切断応答を着側通信端末装置２に向けて返信する（ステップＳ１１５’、Ｓ１１６’）。その後、発側パケット交換機３においてＰｏＣセッションの解放判定が行われ（ステップＳ１１２）、ＰｏＣ切断要求を発側通信端末装置１に向けて送信する（ステップＳ１１０’）。それを受取った発側通信端末装置１は、ＰｏＣ切断応答を発側パケット交換機３に返信する（ステップＳ１１１’）。
【００３６】
さらに、発側パケット交換機３から発側通信端末装置１に、パケット通信切断要求が送信されると（ステップＳ１１７’）、それを受取った発側パケット交換機３は、パケット通信切断応答を発側通信端末装置１に向けて返信する（ステップＳ１１８’）。それと同時に、着側通信端末装置２から着側パケット交換機４に、パケット通信切断要求が送信され（ステップＳ１１９’）、このパケット通信切断要求を受取った着側パケット交換機４は、パケット通信切断応答を着側通信端末装置２に向けて返信する（ステップＳ１２０’）。
【００３７】
その後、発側通信端末装置１においてＡＶ呼による発信操作が行われると（ステップＳ１２１）、発信要求が送信される（ステップＳ１２２）。以降の処理は、図２の場合と同様である。
したがって、本例の場合においても、パケット通信の切断後に、第三者（つまりユーザＡ、ユーザＢ以外のユーザ）の通信端末装置から着側通信端末装置２への着信があっても（ステップＳ２０１、ステップＳ２０２）、認証ＩＤが一致しないか、又はそれが含まれていないため、着信処理は行われず、第三者の着信が拒否される（ステップＳ２０３’）。
【００３８】
これに対し、接続要求（ステップＳ１２７’）に含まれている認証ＩＤは着側通信端末装置２に保持されている認証ＩＤと一致するため、その後ＴＶ電話通話が開始される（ステップＳ１３５）。
以上のように網切替要求とＰｏＣ切断要求とを重畳させた場合においても、認証ＩＤを用いた認証により、ＰｏＣ通信を切断した直後の第三者からの着信を拒否する。つまり、ＰｏＣ通信を切断してからＴＶ電話通話を開始するまでの間に着信があっても、その着信に対する接続処理が行われず、網切替えを適切に行うことができる。しかも、網切替要求とＰｏＣ切断要求とを重畳させているので、網切替え完了までの時間を短縮することができる。
【００３９】
（通信端末装置の構成例）
以上の動作を実現するため、発側通信端末装置は、以下のような機能を有している。すなわち、図１中の発側通信端末装置１は、図４に示されているように、ＰｏＣ通信及びＰｏＣ通信を行うためのパケット通信網とは異なる回線交換網による通信を行うことのできる通信端末装置であり、ＰｏＣ通信についての切断要求を送信する際に他の通信端末装置に認証ＩＤを通知する認証ＩＤ通知手段１１と、この認証ＩＤ通知手段１１によって通知した認証ＩＤを含む接続要求を、ＰｏＣ通信の切断後に他の通信端末装置に送信する接続要求送信手段１２とを含んで構成されている。
【００４０】
また、着側通信端末装置は、以下のような機能を有している。すなわち、図１中の着側通信端末装置２は、図５に示されているように、ＰｏＣ通信及びＰｏＣ通信を行うためのパケット通信網とは異なる回線交換網による通信を行うことのできる通信端末装置であり、ＰｏＣ通信を行っている最中に、他の通信端末装置から通知される認証ＩＤを受信する認証ＩＤ受信手段２１と、ＰｏＣ通信の切断後に受信された着信信号に認証ＩＤが含まれている場合に限り、その着信信号を送信した通信端末装置との間で回線交換網による通信を許可する通信制御手段２２とを含んで構成されている。なお、着側通信端末装置２は、受信した認証ＩＤを記憶する記憶手段２３をも有している。
上記の発側通信端末装置、着側通信端末装置は、共に、移動通信可能な携帯電話装置であり、図示せぬ通信部、表示部、ユーザによる操作が可能な操作部等を有している。
【００４１】
（網切替方法）
上述した通信システムにおいては、以下のような網切替方法が実現されている。すなわち、ＰｏＣ通信を行っている状態から、上記ＰｏＣ通信を行うためのパケット通信網とは異なる回線交換網による通信を行う状態へ切り替える網切替方法であって、上記ＰｏＣ通信によるグループ内の第１及び第２の通信端末装置において認証ＩＤを授受するステップと、上記ＰｏＣ通信を行うための網とは異なる網による通信を、上記認証ＩＤの授受完了後に、上記第１及び第２の通信端末装置により上記認証ＩＤを用いた着信処理を行うステップとを含み、上記着信処理後に上記ＰｏＣ通信を行うための網とは異なる網による通信を開始するようにした網切替方法が実現されている。このように構成すれば、認証ＩＤを用いて着信制御を行い、網切替えを適切に行うことができる。
なお、以上は、ＰｏＣ通信からＴＶ電話通話への網切替えについて説明したが、これに限らず、ＰｏＣ通信から音声電話通話への網切替えについても本発明が適用できることは明白である。
【産業上の利用可能性】
【００４２】
本発明は、パケット通信網から回線交換網への切替えを実現する場合に利用できる。
【図面の簡単な説明】
【００４３】
【図１】本発明の実施の形態に係る通信端末装置を用いた通信システムの構成例を示すブロック図である。
【図２】図１における各装置間の信号授受の一例を示すシーケンス図である。
【図３】図１における各装置間の信号授受の他の例を示すシーケンス図である。
【図４】図１中の発側通信端末装置の機能構成例を示すブロック図である。
【図５】図１中の着側通信端末装置の機能構成例を示すブロック図である。
【図６】従来技術の問題点を説明するための図である。
【図７】図６における各装置間の信号授受を示すシーケンス図である。
【符号の説明】
【００４４】
１  発側通信端末装置
２  着側通信端末装置
３  発側パケット交換機
４  着側パケット交換機
５  発側モバイルマルチメディア交換機
６  着側モバイルマルチメディア交換機
７  サービス制御装置
１１  通知手段
１２  接続要求送信手段
２１  受信手段
２２  通信制御手段
２３  記憶手段
【図１】
2008124982.tif 000003
【図２】
2008124982.tif 000004
【図３】
2008124982.tif 000005
【図４】
2008124982.tif 000006
【図５】
2008124982.tif 000007
【図６】
2008124982.tif 000008
【図７】
2008124982.tif 000009